(57)【要約】【課題】端子体の腐食や損傷を防止し、耐久性の高いコンクリート構造物を得る。【解決手段】セパレータ１の端部に設けた雄ねじ部１ａをセラミックスからなる端子体２の雌ねじ部２ａに螺着し、型枠４の外側に係合する係合部５ａを有する接続固定ボルト５を型枠４、ゴムリング６、スリーブ３に挿通した後、端子体２の雌ねじ部２ａに挿入して、セパレータ１の雄ねじ部１ａの内部に設けた雌ねじ部１ｂに螺着する。【選択図】　図１
2004036112.tif 000002
【特許請求の範囲】
【請求項１】
セパレータと、セパレータの少なくとも一端に装着された端子体と、型枠を端子体に固定する固定治具とを備えたコンクリート型枠保持装置において、前記端子体を、セラミックスからなり、セパレータを螺着する雌ねじ部を備えて構成し、かつ前記固定治具は、端子体の雌ねじ部に螺着挿入したセパレータの端部に螺着したことを特徴とするコンクリート型枠保持装置。
【請求項２】
セパレータと、セパレータの少なくとも一端に螺着したセラミックスからなる端子体とを型枠間に配置し、接続固定ボルトを型枠に係合貫通して端子体内のセパレータ端部に螺着し、コンクリートを型枠間に打設養生した後、接続固定ボルトと型枠を除去し、端子体内を止水処理することを特徴とするコンクリート構造物の形成方法。
【請求項３】
端子体を形成するセラミックスは、アルミナ、ジルコニア、炭化珪素、窒化珪素の何れかを主成分とすることを特徴とする請求項１又は２記載のコンクリート型枠保持装置又はコンクリート構造物の形成方法。
【請求項４】
端子体は、樽形状、両側円弧錘状、多角形、外周面凹凸状の何れかにしたことを特徴とする請求項１〜３の何れかに記載のコンクリート型枠保持装置又はコンクリート構造物の形成方法。
【発明の詳細な説明】
【０００１】
【発明の属する技術分野】
この発明は、コンクリート打設時に型枠を締め付けて保持するコンクリート型枠保持装置と、これにより構成されるコンクリート構造物の形成方法に関するものである。
【０００２】
【従来の技術】
コンクリート型枠保持装置の端子体としては、各種のものが知られている。例えば、特開平８−１３５１８７合公報には、金属雌ねじ部をセラミックスで覆ったものが示され、特開平９−３２４５３７号公報には、金属雌ねじ部を分割セラミックス筒体で保持したものが示されている。又、特開２０００−３４５７１６、特開２０００−３４５７０４には、金属雌ねじ部をモルタルで覆ったものが示され、特開平１１−２０２５には、金属雌ねじ部を合成樹脂で覆ったものが示されている。
【０００３】
【発明が解決しようとする課題】
前述した従来のコンクリート型枠保持装置の端子体において、金属雌ねじ部を合成樹脂で覆ったものは、合成樹脂部分が継年変化により劣化し、この結果、金属雌ねじ部が腐食し、この腐食がセパレータ（金属）へも波及することとなった。又、金属雌ねじ部を無機質材（モルタル、セラミックス）により覆ったものは、覆った部分の劣化はないが、内部の金属雌ねじ部が腐食し、セパレータへの腐食が発生することとなった。従って、端子体部分で腐食が始まると、コンクリート構造物の表面にクラックが発生するなどの劣化が始まり、コンクリート構造物の耐久性を損なうこととなった。
【０００４】
この発明は上記のような課題を解決するために成されたものであり、端子体に腐食が発生せず、また端子体にコンクリート埋設前に大きな引っ張り力が加わらないようにしてその損傷を防止し、その結果耐久性の高いコンクリート構造物が得られるコンクリート型枠保持装置及びコンクリート構造物の形成方法を得ることを目的とする。
【０００５】
【課題を解決するための手段】
コンクリート型枠を保持形成するセパレータ（連結体）の端部に設けられた端子体（プラグ）をセラミックスで形成したコンクリート型枠保持装置により、耐腐食性が向上し、耐久性の高いコンクリート構造物を得る。
【０００６】
又、端子体を型枠に装着してコンクリートを打設するが、この際に引っ張り力が端子体に作用する。しかし、コンクリート埋設前のセラミックス部材は、引っ張り強度に弱い特徴がある。そこで、端子体内を貫通して固定治具を設けることにより、型枠と鉄筋を接続し、端子体に引っ張り力の負担を与えないようにした。
【０００７】
この発明の請求項１に係るコンクリート型枠保持装置は、セパレータと、セパレータの少なくとも一端に装着された端子体と、型枠を端子体に固定する固定治具とを備えたコンクリート型枠保持装置において、前記端子体を、セラミックスからなり、セパレータを螺着する雌ねじ部を備えて構成し、かつ前記固定治具は、端子体の雌ねじ部に螺着挿入したセパレータの端部に螺着したものである。
【０００８】
請求項２に係るコンクリート構造物の形成方法は、セパレータと、セパレータの少なくとも一端に螺着したセラミックスからなる端子体とを型枠間に配置し、接続固定ボルトを型枠に係合貫通して端子体内のセパレータ端部に螺着し、コンクリートを型枠間に打設養生した後、接続固定ボルトと型枠を除去し、端子体内を止水処理するものである。
【０００９】
請求項３に係るコンクリート型枠保持装置又はコンクリート構造物の形成方法は、端子体を形成するセラミックスが、アルミナ、ジルコニア、炭化珪素、窒化珪素の何れかを主成分とするものである。
【００１０】
請求項４に係るコンクリート型枠保持装置又はコンクリート構造物の形成方法は、端子体を、樽形状、両側円弧錘状、多角形、外周面凹凸状の何れかにしたものである。
【００１１】
【発明の実施の形態】
実施形態１
以下、この発明の実施の形態を図面とともに説明する。図１はこの発明の実施形態１によるコンクリート型枠保持装置の構成図、図２はその要部断面図、図３は端子体及びスリーブの断面図、図４はセパレータの端部正面図を示し、１はセパレータ（鉄筋）であり、その両端には雄ねじ部１ａが形成され、雄ねじ部１ａの内部には軸方向に雌ねじ部１ｂが形成されている。セパレータ１の両端の雄ねじ部１ａには端子体２の雌ねじ部２ａが螺着される。端子体２は、アルミナ、ジルコニア、炭化珪素、窒化珪素の何れかを主成分としたセラミックスにより樽形状に形成される。３はムライトセラミックスからなるスリーブであり、かぶり寸法を確保するために設けてある。スリーブ３と端子体２とは、接着剤により接着する。
【００１２】
４は挿通孔４ａを有する型枠であり、型枠４との係合部５ａを有する接続固定ボルト５が挿通孔４ａに挿通され、接続固定ボルト５はさらにゴムリング６及びスリーブ３に挿通されて、端子体２の雌ねじ部２ａに挿入され、その端部に形成された雄ねじ部５ｂはセパレータ１の端部の雌ねじ部１ｂと螺着される。このとき、接続固定ボルト５の係合部５ａとゴムリング６とは型枠４の両側に当接する。なお、７は型枠４の外側に当接された桟木、８はパイプ、９は当接体であり、これらは型枠３の外側において接続固定ボルト５の端部に形成された雄ねじ部５ｃに螺合されたナット１０により型枠４に締め付けられ、型枠４の保持を強固にしており、接続固定ボルト５、桟木７、パイプ８、当接体９及びナット１０により型枠保持体１１を構成する。
【００１３】
前記構成において、型枠４間にコンクリートを打設し、コンクリートの養生固化によりコンクリート構造物１２を形成する。次に、図５に示すように、接続固定ボルト５を含む型枠保持体１１を除去した後、型枠４及びゴムリング６を除去する。次に、スリーブ３及び端子体２内に水分が浸入するのを防止するために、図６及び図７に示すように、スリーブ３内に止水栓１３を装着する。止水栓１３は止水栓本体１４と止水リング１５とからなり、止水栓本体１４は鍔部１４ａと軸部１４ｂとからなり、軸部１４ｂは傾斜部１４ｃと円柱部１４ｄからなる。止水リング１５は水膨潤性ゴムなどの水膨潤性の弾性体からなり、止水栓本体１４の円柱部１４ｄに装着される。止水リング１５は水分を吸収して膨張し、水分の浸入を阻止する。
【００１４】
実施形態１においては、端子体２をセラミックスにより構成したので、端子体２に腐食は発生しない。又、セラミックスからなる端子体２はコンクリート埋設前は引っ張り力に弱いが、型枠４と係合した接続固定ボルト５を端子体２内に挿通してセパレータ１の端部と螺着したので、端子体２に引っ張り力が作用することはなくなり、端子体２の損傷を防ぐことができる。この結果、コンクリート構造物１２の表面にクラックが発生するなどの劣化現象は生ぜず、耐久性の高いコンクリート構造物１２が得られる。
【００１５】
図８（ａ），（ｂ）はセラミックスからなる端子体２の変形例を示し、（ａ）は軸方向中心のセパレータ１側のほぼ半分に雌ねじ部２ａを設け、残りの半分には雌ねじ部２ａと同軸同径の孔２ｂを設けたものであり、（ｂ）は孔２ｂの径を接続固定ボルト５が挿通できる程度の小径にしたものである。
【００１６】
又、図９（ａ）〜（ｄ）もセラミックスからなる端子体２の変形例を示し、（ａ）は端子体２の外周に螺旋状の凹凸部２ｃを設けたものであり、（ｂ）は樽形状の端子体２の外周に平坦部２ｄを設けたものである。（ｃ）は両側に円弧錘形状の端子体２の外周に平坦部２ｅを設けたものである。（ｄ）は外周に多角形部２ｆを設けたものである。これらの凹凸部２ｃ、平坦部２ｄ，２ｅ、多角形部２ｆを設けたことにより、端子体２にコンクリート構造物１２内での回り止め機能を付与するとともに、引っ張り耐力を向上することができる。
【００１７】
実施形態２
図１０は実施形態２によるコンクリート型枠保持装置のセパレータ端部の正面図を示し、この場合、セパレータ１の端部の雄ねじ部１ａの内部に雌ねじ部１ｂは設けない。一方、補助具１６の一端側に設けた雌ねじ部１６ａにセパレータ１の雄ねじ部１ａを螺着し、補助具１６の他端側に突出して設けた雄ねじ部１６ｂを端子体２の雌ねじ部２ａに螺着するとともに、雄ねじ部１６ｂの内部に設けた雌ねじ部１６ｃに接続固定ボルト５の雄ねじ部５ｂを螺着する。その他の構成は実施形態１と同様である。
【００１８】
実施形態２においては、セパレータ１の端部には雄ねじ部１ａを設けるだけで良いので、作業性が向上する。その他の効果は実施形態１と同様である。
【００１９】
【発明の効果】
以上のようにこの発明によれば、端子体をセラミックスにより形成したので、端子体に腐食は発生せず、また型枠と係合した固定治具（接続固定ボルト）をセパレータと連結したので、コンクリート埋設前に端子体に引っ張り力が作用することはなくなり、コンクリート構造物の表面にクラックが発生することはなくなり、耐久性の高いコンクリート構造物が得られる。
【００２０】
又、端子体を、樽形状、両側円弧錘状、多角形、外周面凹凸状などに形成したので、回り止め機能を付与するとともに、引っ張り耐力を向上することができる。
【図面の簡単な説明】
【図１】この発明の実施形態１によるコンクリート型枠保持装置の構成図である。
【図２】実施形態１によるコンクリート型枠保持装置の要部断面図である。
【図３】実施形態１による端子体及びスリーブの断面図である。
【図４】実施形態１によるセパレータの端部正面図である。
【図５】実施形態１によるコンクリートの打設及び型枠等の除去を示す断面図である。
【図６】実施形態１による止水栓の装着を示す断面図である。
【図７】実施形態１によるコンクリート型枠保持装置の止水栓装着時の断面図及び止水栓の正面図である。
【図８】実施形態１による端子体の変形例を示す断面図である。
【図９】実施形態１による端子体の外形の変形例を示す正面図である。
【図１０】この発明の実施形態２によるコンクリート型枠保持装置のセパレータ端部の正面図である。
【符号の説明】
１…セパレータ
１ａ，５ｂ，１６ｂ…雄ねじ部
１ｂ，２ａ，１６ａ，１６ｃ…雌ねじ部
２…端子体
２ｃ…凹凸部
２ｄ，２ｅ…平坦部
２ｆ…多角形部
４…型枠
５…接続固定ボルト
５ａ…係合部
１１…型枠保持体
１２…コンクリート構造物
１６…補助具
【図１】
2004036112.tif 000003
【図２】
2004036112.tif 000004
【図３】
2004036112.tif 000005
【図４】
2004036112.tif 000006
【図５】
2004036112.tif 000007
【図６】
2004036112.tif 000008
【図７】
2004036112.tif 000009
【図８】
2004036112.tif 000010
【図９】
2004036112.tif 000011
【図１０】
2004036112.tif 000012